(57)【特許請求の範囲】
【請求項１】
密閉容器内の下方に設けられた電動要素と、前記密閉容器内の上方に設けられかつこの電動要素によって駆動されるスクロール圧縮要素と、前記密閉容器内に固着されてこのスクロール圧縮要素を支持するとともに、回転軸を軸支するための軸受部を設けた支持フレームと、前記密閉容器内に貯留された潤滑油とを備え、この潤滑油を前記密閉容器上方の摺動部に送った後、前記支持フレームに設けられた潤滑油逃し穴から前記密閉容器の底部に戻すことにより循環して使用するスクロール型圧縮機であって、
前記回転軸および前記潤滑油逃し穴がその内部に位置するように前記支持フレームの下面に装着された潤滑油飛散防止用の円筒状の金属製オイルカバーと、このオイルカバーの下端部に取り付けられた絶縁材料製スカートを備えることを特徴とするスクロール型圧縮機。
【請求項２】
前記スカートがプラスチックス製フィルム、布、不織布から選択されるものであることを特徴とする請求項１記載のスクロール型圧縮機。
【発明の詳細な説明】
【０００１】
【発明の属する技術分野】
本発明は、例えば空調・冷凍機等に搭載されるスクロール型圧縮機に関するものであり、さらに詳しくは、冷媒中に同伴されて吐出される潤滑油量を抑制したスクロール型圧縮機に関するものである。
【０００２】
【従来の技術】
空気調和装置等の冷凍サイクルに使用されるスクロール型コンプレッサ１Ａは例えば図３に示される構成になっている。両端が閉鎖された筒状の密閉容器１の内側には電動要素２とスクロール圧縮要素３とが内蔵されている。上記電動要素２は上記密閉容器１の内壁面側に固定されたステータ４と、このステータ４の内側に回転自在に支持されたロータ５とからなり、このロータ５には回転軸６が貫通状態に結合されている。この回転軸６の一端は上記スクロール圧縮要素３の一部を構成する支持フレーム７の軸受部Ｂに回転自在に支持されている。上記回転軸６の他端側は上記ロータ５から突出されており、この先端部は上記密閉容器１内に収容された潤滑油ｂに没するように下方に延長されている。
また、上記回転軸６には、潤滑油ｂを吸入して供給する油通路８が軸方向に穿設されており、潤滑油がこの油通路８を経て支持フレーム７などの各摺動部に供給された後、再循環されるようになっている。
【０００３】
そして、上記支持フレーム７に貫通する状態に支持された上記回転軸６の一端部はその中心が上記回転軸６の軸心と偏心して設けたピン部（クランク部）９として形成されており、このピン部９には揺動スクロール１０が連接されている。この揺動スクロール１０は円盤状に形成されており一側面の中央部に上記ピン部９が接続されるボス穴部１１が形成されている。この揺動スクロール１０の他側面には渦巻き形状のラップ１２が一体に形成されている。
また、上記支持フレーム７には、固定スクロール１３が結合されている。この固定スクロール１３には上記揺動スクロール１０に対面する部分に渦巻き形状のラップ１４が形成されており、上記ラップ１２との間に複数の圧縮室１５を形成している。これらの圧縮室１５は吸入管１６を経て外周部で冷媒ガスを吸込み、漸次中心に移動していくことで容積を縮小して冷媒ガスを圧縮し固定スクロール１３の他側面の中央部に設けた吐出ポート１７から密閉容器１の上部の高圧空間内に吐出され、矢印で示したように吐出管１８を経て密閉容器１外に吐出される。
【０００４】
支持フレーム７には潤滑油逃し穴１９が貫通して設けられている。そして、支持フレーム７の下面には、ピン部９とボス穴部１１の間などの揺動スクロール１０の摺動部を潤滑した潤滑油が潤滑油逃し穴１９から下方にでる時、回転軸６に装着されたバランサ２０の回転により飛散されて、吸入管１６から密閉容器１内に吸入される冷媒に同伴されて上方の圧縮要素３の摺動部に送られ、冷媒と共に密閉容器１外にでるのを防止するため、円筒状オイルカバー２１が回転軸６および潤滑油逃し穴１９がその内部に位置するように装着されている。２３はオイルカバー２１を支持フレーム７の下面に装着するためのビスである（図２参照）。潤滑油逃し穴１９などから下方に流れる潤滑油は密閉容器１の底部に溜り、循環して使用される。
【０００５】
しかし、図２に支持フレーム７近傍を拡大して示すように、オイルカバー２１が金属製である場合は、ステータ４のコイルエンド部２２との絶縁距離を確保するために、オイルカバー２１とコイルエンド部２２との間に隙間ｄが必要となるので、その隙間ｄから潤滑油が飛散し冷媒と共に密閉容器１外にでる潤滑油の吐出量が増加してしまう問題があった。一方、オイルカバー２１がプラスチックスなどの絶縁性材料である場合は十分な強度を確保するためには板厚を上げなければならず、圧縮機の組み立て時の各部品間のクリアランスの確保が難しくなる問題があった。
【０００６】
【発明が解決しようとする課題】
本発明の目的は、冷媒と共に密閉容器１外にでる潤滑油の吐出量を抑制するとともに、圧縮機の組み立て時の問題もないスクロール圧縮機を提供することである。
【０００７】
【課題を解決するための手段】
すなわち、上記課題を解決するため請求項１の発明は、密閉容器内の下方に設けられた電動要素と、前記密閉容器内の上方に設けられかつこの電動要素によって駆動されるスクロール圧縮要素と、前記密閉容器内に固着されてこのスクロール圧縮要素を支持するとともに、回転軸を軸支するための軸受部を設けた支持フレームと、前記密閉容器内に貯留された潤滑油とを備え、この潤滑油を前記密閉容器上方の摺動部に送った後、前記支持フレームに設けられた潤滑油逃し穴から前記密閉容器の底部に戻すことにより循環して使用するスクロール型圧縮機であって、
前記回転軸および前記潤滑油逃し穴がその内部に位置するように前記支持フレームの下面に装着された潤滑油飛散防止用の円筒状オイルカバーと、このオイルカバーの下端部に取り付けられた絶縁材料製スカートを備えることを特徴とするものである。
金属製オイルカバーであっても、下端部に絶縁材料から成るスカートを取り付け、例えばこのスカートの一端をステータのコイルエンド部に接触させてオイルカバーとコイルエンドとの間隙をこのスカートで覆うようにすれば、潤滑油逃し穴から下方にでる潤滑油が飛散されて冷媒と共に密閉容器外にでるのを抑制できる。板厚が薄くても強度がある金属製オイルカバーを使用すれば、組み立て時の各部品間のクリアランスを確保できる。
【０００８】
本発明の請求項２の発明は、請求項１記載のスクロール型圧縮機において、前記スカートがプラスチックス製フィルム、布、不織布から選択されるものであることを特徴とする。スカートはプラスチックスでつくられた軽量でフレキシブルなフィルム、布、不織布などで充分潤滑油の飛散を防止できる。
【０００９】
【発明の実施の形態】
以下、この発明の一実施例を図１に示す図面に基づいて詳細に説明する。図１は、支持フレーム７近傍を拡大して示す説明図である。
支持フレーム７には潤滑油逃し穴１９が貫通して設けられている。そして、支持フレーム７の下面には、ピン部９とボス穴部１１の間などの揺動スクロール１０の摺動部を潤滑した潤滑油が潤滑油逃し穴１９から下方にでる時、回転軸６に装着されたバランサ２０の回転により飛散されて、吸入管１６から密閉容器１内に吸入される冷媒に同伴されて図示しない上方の圧縮要素の摺動部に送られ、冷媒と共に密閉容器１外にでるのを防止するため、円筒状オイルカバー２１が回転軸６および潤滑油逃し穴１９がその内部に位置するように装着されている。２３はオイルカバー２１を支持フレーム７の下面に装着するためのビスである。
このオイルカバー２１の下端部に絶縁材料製フィルムから成るスカート２４がリベット２５により取り付けられている。このスカート２４の一端をステータのコイルエンド部２２に接触させてオイルカバー２１とコイルエンド部２２との間隙を覆うようにしてある。
【００１０】
本発明のスクロール型圧縮機は上記のスカート２４を装着した以外は図３に示したスクロール型圧縮機１Ａと同様に構成されている。
以上のように構成してあるので、本発明のスクロール型圧縮機を運転開始し、回転軸６が回転してピン部９とボス穴部１１の間などの揺動スクロール１０の摺動部を潤滑した潤滑油が潤滑油逃し穴１９から下方にでても、潤滑油はオイルカバー２１の内壁とスカート２４に当たって下方に流れ、潤滑油が飛散されて冷媒と共に密閉容器外にでるのを抑制できる。潤滑油逃し穴１９などから下方に流れる潤滑油は密閉容器１の底部に溜り、循環して使用される。
【００１１】
なお、本発明は上記実施例に限定されるものではないので、特許請求の範囲に記載の趣旨から逸脱しない範囲で各種の変形実施が可能である。
【００１２】
【発明の効果】
本発明のスクロール型圧縮機は、冷媒と共に密閉容器外にでる潤滑油の吐出量を抑制するとともに、圧縮機の組み立て時の各部品間のクリアランスを確保できる。
【図面の簡単な説明】
【図１】  本発明のスクロール型圧縮機の支持フレーム近傍を拡大して示す説明図である。
【図２】  図３の従来のスクロール型圧縮機の支持フレーム近傍を拡大して示す説明図である。
【図３】  従来のスクロール型圧縮機の要部を示す説明図である。
【符号の説明】
ｂ  潤滑油
Ｂ  軸受部
１  密閉容器
１Ａ  スクロール型圧縮機
２  電動要素
３  スクロール圧縮要素
４  ステータ
５  ロータ
６  回転軸
７  支持フレーム
８  油通路
９  ピン部
１０  揺動スクロール
１１  ボス穴部
１２、１４  渦巻き形状のラップ
１３  固定スクロール
１５  圧縮室
１６  吸入管
１７  吐出ポート
１８  吐出管
１９  潤滑油逃し穴
２０  バランサ
２１  オイルカバー
２２  コイルエンド部
２３  ビス
２４  スカート
２５  リベット
【図１】
0003738122.tif 000002
【図２】
0003738122.tif 000003
【図３】
0003738122.tif 000004